(57)【要約】【課題】閲覧者の興味を引きやすい情報形態で自身の趣味や嗜好等を発信する自系図を作成することができる自系図作成装置、サーバ、及びそれらに用いるプログラムを提供する。【解決手段】使用者の属性情報を用いて時間軸を設定し、該時間軸を１軸とする２次元の領域である自系図編集領域を前記表示画面上に表示する領域設定部と、入力された検索キーワードを用いてコンテンツ記憶部内を検索した結果であるコンテンツ検索結果を表示画面上に表示するコンテンツ検索部と、コンテンツを特定するコンテンツ特定部と、自系図編集領域内の位置を特定する位置特定部と、コンテンツを前記特定された位置に配置するコンテンツ配置部と、コンテンツと、前記位置特定部により特定された位置とを紐付けたコンテンツ配置情報をコンテンツ配置情報記憶部に保存するコンテンツ配置情報保存部と、を備える。【選択図】図１
2015035189.tif 000002
【特許請求の範囲】
【請求項１】
入力部を通じた使用者の操作に応じて自系図を作成し、その自系図を表示部の表示画面上に表示するとともに記憶部に保存する自系図作成装置であって、
a) 前記入力部を通じて使用者により入力された属性情報を用いて時間軸を設定し、該時間軸を１軸とする２次元の領域である自系図編集領域を前記表示画面上に表示する領域設定部と、
b) 前記入力部を通じて使用者により入力された検索キーワードを用いて、予めコンテンツが保存されたコンテンツ記憶部内を検索した結果であるコンテンツ検索結果を表示画面上に表示するコンテンツ検索部と、
c) 前記コンテンツ検索結果の中から、前記入力部を通じた操作により使用者にコンテンツを指定させることによってコンテンツを特定するコンテンツ特定部と、
d) 前記入力部を通じた操作により前記自系図編集領域内の位置を使用者に指定させることによって、該自系図編集領域内の位置を特定する位置特定部と、
e) 前記コンテンツ特定部により特定されたコンテンツを、前記位置特定部により特定された位置に配置するコンテンツ配置部と、
f) 前記コンテンツ特定部により特定されたコンテンツと、前記位置特定部により特定された位置とを紐付けたコンテンツ配置情報を前記記憶部内に設けられたコンテンツ配置情報記憶部に保存するコンテンツ配置情報保存部と、
を備えることを特徴とする自系図作成装置。
【請求項２】
前記属性情報に使用者の年齢及び／又は生年が含まれることを特徴とする請求項１に記載の自系図作成装置。
【請求項３】
前記コンテンツが画像であり、前記コンテンツ配置部が該画像を所定の大きさに加工したサムネイルとして配置することを特徴とする請求項１または２に記載の自系図作成装置。
【請求項４】
g) 前記入力部を通じた操作により、使用者にコンテンツが属するカテゴリーを設定させるカテゴリー設定部
を備え、前記コンテンツ配置情報保存部が、前記コンテンツ配置情報にカテゴリー情報を含めて保存することを特徴とする請求項１から３のいずれかに記載の自系図作成装置。
【請求項５】
入力部を通じた使用者の操作に応じて自系図を作成し、その自系図を表示部の表示画面上に表示するとともに記憶部に保存する処理をコンピュータに行わせるための自系図作成装置用のプログラムであって、該コンピュータを、
a) 前記入力部を通じて使用者により入力される属性情報を用いて時間軸を設定し、該時間軸を１軸とする２次元の領域である自系図編集領域を前記表示画面上に表示する領域設定部と、
b) 前記入力部を通じて使用者により入力される検索キーワードを用いて、予めコンテンツが保存されたコンテンツ記憶部内を検索した結果であるコンテンツ検索結果を表示画面上に表示するコンテンツ検索部と、
c) 前記コンテンツ検索結果の中から、前記入力部を通じた操作により使用者にコンテンツを指定させることによってコンテンツを特定するコンテンツ特定部と、
d) 前記入力部を通じた操作により前記自系図編集領域内の位置を使用者に指定させることによって、該自系図編集領域内の位置を特定する位置特定部と、
e) 前記コンテンツ特定部により特定されたコンテンツを、前記位置特定部により特定された位置に配置するコンテンツ配置部と、
f) 前記コンテンツ特定部により特定されたコンテンツと、前記位置特定部により特定された位置とを紐付けたコンテンツ配置情報を前記記憶部内に設けられたコンテンツ配置情報記憶部に保存するコンテンツ配置情報保存部と、
として動作させることを特徴とする自系図作成装置用プログラム。
【請求項６】
ネットワークを通じて接続された端末装置から入力される指示に従って自系図を作成し、該端末装置の表示部の表示画面上に表示する自系図作成サーバであって、
a) 前記端末装置から入力される属性情報を用いて時間軸を設定し、該時間軸を１軸とする２次元の領域である自系図編集領域を前記表示画面上に表示する領域設定部と、
b) 前記端末装置から入力される検索キーワードを用いて、予めコンテンツが保存されたコンテンツ記憶部内を検索した結果であるコンテンツ検索結果を表示画面上に表示するコンテンツ検索部と、
c) 前記コンテンツ検索結果の中から、前記端末装置から入力されるコンテンツを指定する指示に従ってコンテンツを特定するコンテンツ特定部と、
d) 前記端末装置から入力される、前記自系図編集領域内の位置を指定する指示に従って、該自系図編集領域内の位置を特定する位置特定部と、
e) 前記コンテンツ特定部により特定されたコンテンツを、前記位置特定部により特定された位置に配置するコンテンツ配置部と、
を備えることを特徴とする自系図作成サーバ。
【請求項７】
前記属性情報に使用者の年齢及び／又は生年が含まれることを特徴とする請求項６に記載の自系図作成サーバ。
【請求項８】
前記コンテンツが画像であり、前記コンテンツ配置部が該画像を所定の大きさに加工したサムネイルとして配置することを特徴とする請求項６または７に記載の自系図作成サーバ。
【請求項９】
f) 前記コンテンツ特定部により特定されたコンテンツと、前記位置特定部により特定された位置とを紐付けたコンテンツ配置情報を作成するコンテンツ配置情報作成部と、
g) 前記コンテンツ特定部により特定されたコンテンツと、前記位置特定部により特定された位置とを紐付けたコンテンツ配置情報をサーバ自身が有する記憶部内に設けられたコンテンツ配置情報記憶部に保存するコンテンツ配置情報保存部と、
を備えることを特徴とする請求項６に記載の自系図作成サーバ。
【請求項１０】
h) 前記コンテンツ特定部により特定されたコンテンツと、前記位置特定部により特定された位置とを紐付けたコンテンツ配置情報を作成するコンテンツ配置情報作成部と、
i) 前記コンテンツ配置情報を前記端末装置に送信するコンテンツ配置情報送信部と、
を備えることを特徴とする請求項６に記載の自系図作成サーバ。
【請求項１１】
j) 前記入力部を通じた操作により、使用者にコンテンツが属するカテゴリーを設定させるカテゴリー設定部
を備え、前記コンテンツ配置情報保存部が、前記コンテンツ配置情報にカテゴリー情報を含めて保存することを特徴とする請求項６から８のいずれかに記載の自系図作成サーバ。
【請求項１２】
ネットワークを通じて接続された端末装置から入力される指示に従って自系図を作成し、該端末装置の表示部の表示画面上に表示する処理をサーバに行わせるための自系図作成サーバ用プログラムであって、該サーバを、
a) 前記端末装置から入力される属性情報を用いて時間軸を設定し、該時間軸を１軸とする２次元の領域である自系図編集領域を前記表示画面上に表示する領域設定部と、
b) 前記端末装置から入力される検索キーワードを用いて、予めコンテンツが保存されたコンテンツ記憶部内を検索した結果であるコンテンツ検索結果を表示画面上に表示するコンテンツ検索部と、
c) 前記コンテンツ検索結果の中から、前記端末装置から入力されるコンテンツを指定する指示に従ってコンテンツを特定するコンテンツ特定部と、
d) 前記端末装置から入力される、前記自系図編集領域内の位置を指定する指示に従って、該自系図編集領域内の位置を特定する位置特定部と、
e) 前記コンテンツ特定部により特定されたコンテンツを、前記位置特定部により特定された位置に配置するコンテンツ配置部と、
として動作させることを特徴とする自系図作成サーバ用プログラム。
【請求項１３】
f) 前記コンテンツ特定部により特定されたコンテンツと、前記位置特定部により特定された位置とを紐付けたコンテンツ配置情報を作成するコンテンツ配置情報作成部と、
g) 前記コンテンツ特定部により特定されたコンテンツと、前記位置特定部により特定された位置とを紐付けたコンテンツ配置情報をサーバ自身が有する記憶部内に設けられたコンテンツ配置情報記憶部に保存するコンテンツ配置情報保存部と、
として動作させることを特徴とする請求項１２に記載の自系図作成サーバ用プログラム。
【請求項１４】
h) 前記コンテンツ特定部により特定されたコンテンツと、前記位置特定部により特定された位置とを紐付けたコンテンツ配置情報を作成するコンテンツ配置情報作成部と、
i) 前記コンテンツ配置情報を前記端末装置に送信するコンテンツ配置情報送信部と、
として動作させることを特徴とする請求項１２に記載の自系図作成サーバ用プログラム。
【請求項１５】
検索を実行すると該検索の結果を特定するための検索IDを与える検索エンジンにおいてキーワード検索を行うことにより取得したコンテンツを、時間軸を１軸とする２次元の領域に配置して作成された自系図のデータであって、
a) 前記時間軸の設定に関する情報を含む軸設定情報と、
b) 前記キーワード検索において使用されたキーワードに関するキーワード情報と、
c) 前記キーワード情報に対応づけられた検索ID情報と、
d) 前記検索ID情報に対応するキーワード検索の結果から取得されたコンテンツが配置される、前記２次元の領域内の位置を特定するコンテンツ位置情報と、
を有することを特徴とする自系図データ。
【発明の詳細な説明】
【技術分野】
【０００１】
本発明は、作成者が過去から現在に至るまでに持った趣味や嗜好等を経時的に表現する自系図を作成する自系図作成装置及び自系図作成サーバ、並びにそれらに対応するプログラムに関する。
【背景技術】
【０００２】
近年、インターネットを介して利用可能なソーシャルネットワーキングサービス（ＳＮＳ）やブログサービスが広く提供されている。これらのサービスにおいては、利用者が、自身の趣味や嗜好等を発信したり、他者の趣味や嗜好等を閲覧したりすることによって、利用者間でのコミュニケーションが図られる。
【０００３】
利用者が発信する、自身の趣味や嗜好等の情報形態の１つに自分史がある。そうした自分史を作成するための装置として、従来、特許文献１〜４に記載のものが提案されている。これらはいずれも、利用者自身に関連するトピックスを、年表形式で画面上に表示させる装置である。利用者は、他者が作成した自分史を閲覧して、自らと共通する趣味や嗜好等を持つ別の利用者を発見することができる。
【０００４】
特許文献１に記載の装置では、画面上で、作成者自身に関連するトピックスを年代順にテキスト表示した自分史を作成することができる。
特許文献２に記載の装置では、テキスト情報に画像情報を組み合わせ、画面上でそれらを年代順に配置した自分史を作成することができる。
特許文献３及び４に記載の装置では、画面上の別領域において、テキスト情報と画像情報をそれぞれ年代順に配置した自分史を作成することができる。
【先行技術文献】
【特許文献】
【０００５】
【特許文献１】特開平11-66049号公報
【特許文献２】特開2002-15057号公報
【特許文献３】特開2007-47959号公報
【特許文献４】特開2008-210069号公報
【発明の概要】
【発明が解決しようとする課題】
【０００６】
上記いずれの装置においても、画面上で、作成者自身に関するトピックスを年代順に表示させた自分史を作成することができる。しかし、これらの装置で作成される自分史では、定型のフォーマット内で一列に並べられたテキスト情報が画面上の大半の領域を占めるため、その表示が画一的になりやすく、閲覧者の興味を引きにくい。
【０００７】
本発明が解決しようとする課題は、利用者が、閲覧者の興味を引きやすい情報形態で自身の趣味や嗜好等を発信する自系図を作成することができる自系図作成装置を提供することである。また、コンピュータをそのような自系図作成装置として機能させることができるプログラムを提供することである。
【課題を解決するための手段】
【０００８】
上記課題を解決するために成された本発明の第１の態様は、入力部を通じた使用者の操作に応じて自系図を作成し、その自系図を表示部の表示画面上に表示するとともに記憶部に保存する自系図作成装置であって、
a) 前記入力部を通じて使用者により入力された属性情報を用いて時間軸を設定し、該時間軸を１軸とする２次元の領域である自系図編集領域を前記表示画面上に表示する領域設定部と、
b) 前記入力部を通じて使用者により入力された検索キーワードを用いて、予めコンテンツが保存されたコンテンツ記憶部内を検索した結果であるコンテンツ検索結果を表示画面上に表示するコンテンツ検索部と、
c) 前記コンテンツ検索結果の中から、前記入力部を通じた操作により使用者にコンテンツを指定させることによってコンテンツを特定するコンテンツ特定部と、
d) 前記入力部を通じた操作により前記自系図編集領域内の位置を使用者に指定させることによって、該自系図編集領域内の位置を特定する位置特定部と、
e) 前記コンテンツ特定部により特定されたコンテンツを、前記位置特定部により特定された位置に配置するコンテンツ配置部と、
f) 前記コンテンツ特定部により特定されたコンテンツと、前記位置特定部により特定された位置とを紐付けたコンテンツ配置情報を前記記憶部内に設けられたコンテンツ配置情報記憶部に保存するコンテンツ配置情報保存部と、
を備えることを特徴とする。
【０００９】
上記属性情報は、例えば使用者の現年齢であり、領域設定部は該年齢に基づいて時間軸の下限値（０歳）と上限値（現年齢）を設定する。あるいは、例えば、使用者の生年月日を属性情報として用いて、時間軸の下限値（生年）と上限値（現在の西暦や和暦）を設定してもよい。また、本発明に係る自系図作成装置では、自身の趣味や嗜好に加え、自身に影響を与えた事象をコンテンツに加えることもできる。そこで、例えば上述した生年や現在の西暦等に所定年数の増減を行った年を下限値や上限値として時間軸を設定するようにしてもよい。その他、本発明に係る自系図作成装置を用いて、あるグループの自系図を作成する場合に、当該グループが結成された年を時間軸の下限値、解散した年を上限値として設定したり、ある建物についての自系図を作成する場合に、当該建物が建設された年を時間軸の下限値、現在の年を上限値として設定したりするなど、自系図の主体に応じて適宜に変更することができる。
【００１０】
上記コンテンツ記憶部は、自系図作成装置自体が有する記憶装置（例えば、ハードディスク等）のほか、自系図作成装置に着脱自在に取り付けられる記憶装置（ＣＤ、ＤＶＤドライブ等）や、ネットワークを介して接続される自系図作成装置以外の装置が有する記憶装置であってもよい。なお、検索キーワードは、コンテンツ記憶部内のフォルダ名であってもよい。その場合には、コンテンツ検索部は、コンテンツ検索結果として指定されたフォルダ内に保存されているコンテンツを表示する。
【００１１】
本発明に係る自系図作成装置では、使用者により検索キーワードが入力されると、コンテンツ検索部がコンテンツ記憶部内を検索し、その結果を表示画面上に表示する。そして、コンテンツ検索結果の中から使用者によりコンテンツが指定されると、コンテンツ特定部がコンテンツを特定する。また、位置特定部は、自系図編集領域内の位置を指定する使用者の入力操作に従って、その位置を特定する。コンテンツ特定部によるコンテンツの特定、及び位置特定部による自系図編集領域内の位置の特定が完了すると、コンテンツ配置部は該コンテンツを指定された位置に配置し、また、コンテンツ配置情報保存部はこれらを紐付けたコンテンツ配置情報をコンテンツ配置情報記憶部に保存する。
【００１２】
本発明に係る自系図作成装置において、使用者は、検索キーワードを入力してコンテンツ検索部にコンテンツを検索させ、検索結果の中から使用するコンテンツを指定するとともに、自系図編集領域内の位置を指定する操作を繰り返すことにより、時間軸を１軸とする２次元領域である自系図編集領域内に、自己の趣味や嗜好等に関連したコンテンツを自在に配置した自系図を作成することができる。こうして作成される自系図は、従来のような定型のフォーマット内に一列に並べられた画一的なものではなく、バラエティに富んだ形態で表示されるものとなるため、閲覧者の興味を引きやすい。
【００１３】
２次元領域である自系図編集領域において時間軸と異なる軸を設定しない場合には、その軸方向にコンテンツを配置する位置の自由度が生まれるため、使用者は、全体のバランスを考慮してコンテンツを配置してデザイン性を向上させたり、類似のコンテンツを近接して配置したりすることができる。一方、時間軸と異なる軸を設定し、該軸に対して規定された基準に沿ってコンテンツを配置するように構成してもよい。
【００１４】
また、特許文献３に記載の装置のように、年代情報を有する画像情報を、該年代情報に基づいて自分史に自動的に配置する構成では、例えば、あるゲームをコンテンツとして配置しようとする場合、その位置が発売年に固定されてしまい、使用者自身がそのゲームを体験した年齢（あるいは年代）に配置することができない。これに対し、本発明に係る自系図作成装置では、使用者自身が任意にコンテンツを配置する位置を決めることができるため、例えば実際にそのゲームを体験した年齢に対応する位置にコンテンツを配置することができる。
【００１５】
上記コンテンツは、使用者により入力された検索キーワードを用いて検索された文章などのテキスト情報を所定の大きさの領域内に配置して画像化したものでもよいが、写真やイラスト等の画像であることが好ましい。コンテンツが画像である場合には、その大きさがばらばらであることが多い。そこで、コンテンツ配置部は、使用者により指定された写真やイラスト等の画像のサムネイルを配置することが望ましい。
【００１６】
また、本発明に係る自系図作成装置は、
g) 前記入力部を通じた操作により、使用者にコンテンツが属するカテゴリーを設定させるカテゴリー設定部
を備え、前記コンテンツ配置情報保存部が、前記コンテンツ配置情報にカテゴリー情報を含めて保存することが好ましい。これにより、自系図に含まれるコンテンツをカテゴリー単位で表示画面上に表示させるなど、表示形態の多様化を図ることが可能となる。
【００１７】
上記課題を解決するために成された本発明の第２の態様は、入力部を通じた使用者の操作に応じて自系図を作成し、その自系図を表示部の表示画面上に表示するとともに記憶部に保存する処理をコンピュータに行わせるための自系図作成装置用のプログラムであって、該コンピュータを、
a) 前記入力部を通じて使用者により入力される属性情報を用いて時間軸を設定し、該時間軸を１軸とする２次元の領域である自系図編集領域を前記表示画面上に表示する領域設定部と、
b) 前記入力部を通じて使用者により入力される検索キーワードを用いて、予めコンテンツが保存されたコンテンツ記憶部内を検索した結果であるコンテンツ検索結果を表示画面上に表示するコンテンツ検索部と、
c) 前記コンテンツ検索結果の中から、前記入力部を通じた操作により使用者にコンテンツを指定させることによってコンテンツを特定するコンテンツ特定部と、
d) 前記入力部を通じた操作により前記自系図編集領域内の位置を使用者に指定させることによって、該自系図編集領域内の位置を特定する位置特定部と、
e) 前記コンテンツ特定部により特定されたコンテンツを、前記位置特定部により特定された位置に配置するコンテンツ配置部と、
f) 前記コンテンツ特定部により特定されたコンテンツと、前記位置特定部により特定された位置とを紐付けたコンテンツ配置情報を前記記憶部内に設けられたコンテンツ配置情報記憶部に保存するコンテンツ配置情報保存部と、
として動作させることを特徴とする。
【００１８】
上記課題を解決するために成された本発明の第３の態様は、ネットワークを通じて接続された端末装置から入力される指示に従って自系図を作成し、該端末装置の表示部の表示画面上に表示する自系図作成サーバであって、
a) 前記端末装置から入力される属性情報を用いて時間軸を設定し、該時間軸を１軸とする２次元の領域である自系図編集領域を前記表示画面上に表示する領域設定部と、
b) 前記端末装置から入力される検索キーワードを用いて、予めコンテンツが保存されたコンテンツ記憶部内を検索した結果であるコンテンツ検索結果を表示画面上に表示するコンテンツ検索部と、
c) 前記コンテンツ検索結果の中から、前記端末装置から入力されるコンテンツを指定する指示に従ってコンテンツを特定するコンテンツ特定部と、
d) 前記端末装置から入力される、前記自系図編集領域内の位置を指定する指示に従って、該自系図編集領域内の位置を特定する位置特定部と、
e) 前記コンテンツ特定部により特定されたコンテンツを、前記位置特定部により特定された位置に配置するコンテンツ配置部と、
を備えることを特徴とする。
【００１９】
上記第３の態様の自系図作成サーバは、さらに、
f) 前記コンテンツ特定部により特定されたコンテンツと、前記位置特定部により特定された位置とを紐付けたコンテンツ配置情報を作成するコンテンツ配置情報作成部と、
g) 前記コンテンツ特定部により特定されたコンテンツと、前記位置特定部により特定された位置とを紐付けたコンテンツ配置情報をサーバ自身が有する記憶部内に設けられたコンテンツ配置情報記憶部に保存するコンテンツ配置情報保存部と、
を備えるように構成し、自系図作成サーバの記憶部にコンテンツ配置情報を保存するように構成することができる。あるいは、上記自系図作成サーバが、
h) 前記コンテンツ特定部により特定されたコンテンツと、前記位置特定部により特定された位置とを紐付けたコンテンツ配置情報を作成するコンテンツ配置情報作成部と、
i) 前記コンテンツ配置情報を前記端末装置に送信するコンテンツ配置情報送信部と、
を備え、端末装置の使用者自身の操作によって該端末装置が有する記憶部にコンテンツ配置情報を保存できるように構成してもよい。
【００２０】
上記課題を解決するために成された本発明の第４の態様は、ネットワークを通じて接続された端末装置から入力される指示に従って自系図を作成し、該端末装置の表示部の表示画面上に表示する処理をサーバに行わせるための自系図作成サーバ用のプログラムであって、該サーバを、
a) 前記端末装置から入力される属性情報を用いて時間軸を設定し、該時間軸を１軸とする２次元の領域である自系図編集領域を前記表示画面上に表示する領域設定部と、
b) 前記端末装置から入力される検索キーワードを用いて、予めコンテンツが保存されたコンテンツ記憶部内を検索した結果であるコンテンツ検索結果を表示画面上に表示するコンテンツ検索部と、
c) 前記コンテンツ検索結果の中から、前記端末装置から入力されるコンテンツを指定する指示に従ってコンテンツを特定するコンテンツ特定部と、
d) 前記端末装置から入力される、前記自系図編集領域内の位置を指定する指示に従って、該自系図編集領域内の位置を特定する位置特定部と、
e) 前記コンテンツ特定部により特定されたコンテンツを、前記位置特定部により特定された位置に配置するコンテンツ配置部と、
として動作させることを特徴とする。
【００２１】
上記第４の態様のプログラムにおいても、前記サーバを
f) 前記コンテンツ特定部により特定されたコンテンツと、前記位置特定部により特定された位置とを紐付けたコンテンツ配置情報を作成するコンテンツ配置情報作成部と、
g) 前記コンテンツ特定部により特定されたコンテンツと、前記位置特定部により特定された位置とを紐付けたコンテンツ配置情報をサーバ自身が有する記憶部内に設けられたコンテンツ配置情報記憶部に保存するコンテンツ配置情報保存部と、
として動作させるように構成することができる。あるいは、前記サーバを、
h) 前記コンテンツ特定部により特定されたコンテンツと、前記位置特定部により特定された位置とを紐付けたコンテンツ配置情報を作成するコンテンツ配置情報作成部と、
i) 前記コンテンツ配置情報を前記端末装置に送信するコンテンツ配置情報送信部と、
として動作させるように構成してもよい。
【００２２】
上記第２から第４の態様のプログラムあるいはサーバを用いる場合も、第１の態様の装置を用いる場合と同様に、バラエティに富んだ形態で表示され、閲覧者の興味を引きやすい自系図を作成することができる。
【発明の効果】
【００２３】
本発明に係る自系図作成装置、サーバ、又はプログラムを用いると、使用者は、位置情報及びコンテンツ情報の入力を繰り返すことにより、時間軸を１軸とする２次元領域である自系図編集領域内に、自己の趣味や嗜好等に関連したコンテンツを自在に配置して、自系図を作成することができる。こうして作成される自系図は、従来のような定型のフォーマット内に一列に並べられた画一的なものではなく、バラエティに富んだ形態で表示されるものとなるため、閲覧者の興味を引きやすい。
【図面の簡単な説明】
【００２４】
【図１】本発明に係る自系図作成装置の一実施例のハードウェア構成図。
【図２】実施例１の自系図作成装置におけるログイン処理に関するフローチャート。
【図３】実施例１の自系図作成装置において最初に表示されるトップ画面。
【図４】実施例１の自系図作成装置におけるユーザ登録に関するフローチャート。
【図５】実施例１の自系図作成装置において表示される自系図編集の初期画面。
【図６】実施例１の自系図作成装置における自系図作成に関するフローチャート。
【図７】実施例１の自系図作成装置において表示される自系図編集画面の例。
【図８】実施例１の自系図作成装置において表示される自系図編集画面の別の例。
【図９】実施例１の自系図作成装置において表示される自系図編集画面のさらに別の例。を説明する図。
【図１０】本発明に係る自系図作成サーバの一実施例を用いて自系図を作成する場合のシステム全体構成を説明する図。
【図１１】実施例２の自系図作成サーバのハードウェア構成図。
【図１２】実施例２の自系図作成サーバにアクセスする端末装置のハードウェア構成図。
【図１３】実施例２の自系図作成サーバにおいて表示される自系図編集画面の例。
【図１４】キーワード使用情報のデータ構造を説明する表。
【図１５】年表データの構造を説明する表。
【図１６】実施例２の自系図作成サーバにおいて表示される自系図編集画面の別の例。
【図１７】コンテンツ配置情報の構造を説明する表。
【発明を実施するための形態】
【００２５】
本発明に係る自系図作成装置の一実施形態（実施例１）、及び自系図作成サーバの一実施形態（実施例２）、並びにこれら装置やサーバを用いて作成される自系図データ（実施例３）について説明する。
【実施例１】
【００２６】
本発明に係る自系図作成装置の一実施例について説明する。
本実施例の自系図作成装置１０は、入力部を通じた使用者の操作に応じて自系図を作成し、その自系図を表示部の表示画面上に表示する。
【００２７】
１．ハードウェア構成
図１は、本発明に係る自系図作成装置の一実施例のハードウェア構成図である。
自系図作成装置１０の実体は汎用コンピュータであり、中央演算処理装置（ＣＰＵ）１１にメモリ１２、液晶ディスプレイ等から成るモニタ（表示部）１３、キーボードやマウス等から成る入力部１４、ハードディスク等の大容量記憶装置から成る記憶部１５、外部記憶メディア読取部であるＤＶＤ−ＲＯＭドライブ１６、及び通信インターフェース（通信Ｉ／Ｆ）１７等が互いに接続されて構成されている。自系図作成装置１０は、通信Ｉ／Ｆ１７を通じてインターネットに接続されており、インターネットを介して検索エンジンとしてのサービスを提供するネットワークサーバに接続されている。
【００２８】
記憶部１５にはＯＳ（Operating System）のほかに、自系図作成装置用プログラム１８が保存されており、該プログラム１８の起動により、ＣＰＵ１１が、後述する領域設定部１８a、位置特定部１８b、コンテンツ検索部１８c、コンテンツ特定部１８d、カテゴリー設定部１８e、コンテンツ配置部１８f、及びコンテンツ配置情報保存部１８gとして機能する。また、記憶部１５内には、使用者属性情報記憶部１９、コンテンツ配置情報記憶部２０、自系図データ記憶部２２が設けられている。本実施例では、記憶部１５内に自系図作成装置用プログラム１８を保存して実行するが、例えばＤＶＤ２３等の外部記憶メディアに保存された自系図作成装置用プログラムを実行しても構わない。
２．自系図作成手順
【００２９】
本実施例の自系図作成装置１０を用いて自系図を作成する手順について、フローチャートと画面表示例を参照しつつ説明する。
【００３０】
（１）ユーザ登録、ログイン
ユーザ登録及びログインに関するフローチャートを図２及び図４に示す。使用者により自系図作成装置用プログラムが起動されると、表示部１３の画面には、図３に示すトップ画面３０が表示される。トップ画面３０は、ＩＤ及びパスワードを入力するためのログイン領域３１と、使用者の属性情報（生年月日、ニックネーム、パスワード等）を入力するための新規登録領域３２に大別されている。
【００３１】
自系図作成プログラムの初回起動時にはユーザ登録がなされていないため（ステップＳ１でＮＯ）、使用者にユーザ登録を行わせる。ユーザ登録の流れを図４に示す。ユーザ登録時には、まず、規約・プライバシーポリシーを表示（ステップＳ２１）して、使用者の同意を促す。そして、使用者により、これらに同意したことを示すチェックがチェックボックスに入力され（ステップＳ２２でＹＥＳ）、使用者属性情報（生年月日、性別、ニックネーム、及びパスワード）を入力させる（ステップＳ２３）。そして、入力されたニックネームを使用者ＩＤとし、使用者属性情報記憶部１９に新たな使用者属性情報を保存する（ステップＳ２４）。こうしてユーザ登録が完了する。本実施例では、使用者により入力されたニックネームを使用者ＩＤとするが、使用者属性情報が記憶される毎に機械的に使用者ＩＤを発行したり、使用者自身に任意のＩＤを入力させ、該ＩＤが既に使用されていないことを確認してそのＩＤを使用者ＩＤとしてもよい。
【００３２】
使用者が、ユーザ登録済みである場合（ステップＳ１でＹＥＳ）には、使用者にＩＤとパスワードを入力させる（ステップＳ３）。使用者によりＩＤ及びパスワードが入力されると、使用者属性情報記憶部１９に保存されている使用者属性情報と照合し（ステップＳ４）、入力されたＩＤ及びパスワードに合致する使用者属性情報が存在する場合にはログインを承認する（ステップＳ５でＹＥＳ）。使用者が入力したＩＤ及びパスワードに合致する使用者属性情報が存在しない場合（ステップＳ５でＮＯ）には、ログインを拒否する画面を表示し（ステップＳ６）、ＩＤ及びパスワードの再入力を使用者に促す。
【００３３】
ログインを承認すると、使用者属性情報記憶部１９から、ＩＤ及びパスワードの照合において合致した使用者属性情報を読み出す（ステップＳ７）。また、当該使用者に対応する自系図作成データが自系図データ記憶部２２に保存されている場合には該データを読み出して、過去に作成・編集が行われた自系図編集画面を表示する（ステップＳ８）。当該使用者に対応する自系図作成データが存在しない場合には、自系図編集の初期画面を表示する。図５に自系図編集画面４０の初期画面例を示す。
【００３４】
（２）自系図の作成（ステップＳ９）
自系図編集画面４０には、画面左から順に表示された、カテゴリー表示領域４１、年齢軸表示領域４２、自系図編集領域４３、及びコンテンツ設定領域４４が含まれる。また、自系図編集画面４０の上部であって前述の領域４１〜４４の外の領域の左側にメニューボタン４０a（消去、保存）、右側に使用者属性情報の一部（使用者名、年齢、性別）が表示される。
【００３５】
カテゴリー表示領域４１には、上から順に、ＡＬＬボタンと、アート、アニメ、デバイス、ゲーム等のカテゴリー名が表示されたボタンが配列されており、初期表示ではＡＬＬボタンが選択されてオン表示になっている。また、カテゴリー表示領域４１の上部には、折り畳みボタン４１aが表示されている。
【００３６】
年齢軸表示領域４２には、使用者属性情報に含まれる生年月日と現在の西暦から計算された年齢（本実施例では３３歳）を上限値、０歳を下限値として画面上下方向に規定された年齢軸が表示される。自系図編集領域４３は、該年齢軸を１軸とする領域として表示される。ここで、使用者属性情報に含まれる生年月日と現在の西暦から年齢軸を設定し、自系図編集領域を表示する機能が、本発明における領域設定部に相当する。
【００３７】
コンテンツ設定領域４４には、上から順に、キーワード入力欄４４a、コンテンツ設定方法選択欄４４b、コンテンツ検索結果表示欄４４c、及びカテゴリー選択欄４４dが表示される。また、コンテンツ設定領域４４の上部には、折り畳みボタン４４eが表示されている。
【００３８】
自系図の作成に関するフローチャートを図６に示す。
はじめに、使用者に、コンテンツを配置する位置を指定させる。具体的には、クリック等の入力操作により自系図編集領域４３内の位置を指定させる。使用者によるクリック等の入力操作がなされると、その位置にピン４３a（図５では「＋」で表示）を表示し、コンテンツを配置する自系図編集領域４３内の位置を特定する（ステップＳ９０１）。ここで、使用者の入力操作を受けて自系図編集領域４３内の位置を特定する機能が、本発明における位置特定部に相当する。
【００３９】
次に、使用者に、キーワード入力欄４４aにキーワードを入力させる（ステップＳ９０２）。また、コンテンツ設定方法選択欄４４bでコンテンツの登録方法を選択させる（ステップＳ９０３）。本実施例では、コンテンツの登録方法として、コンテンツ画像の検索と画像のアップロードの２種類の方法が用意されている。
【００４０】
使用者によりコンテンツ画像の検索が選択されると、使用者により入力されたキーワードを用いてコンテンツの検索を行う。このとき、ＣＰＵ１１は、自系図作成装置１０の記憶部１５内、ＤＶＤ−ＲＯＭドライブ１６に挿入されたＤＶＤ２２内、自系図作成装置１０に取り付けられた記憶装置内のキーワード検索を実行するだけでなく、インターネットを介して接続された検索エンジンに対してもキーワード検索を要求する（ステップＳ９０４）。ただし、自系図作成装置１０がインターネットに接続されていない場合には、検索エンジンに対するキーワード検索を要求しない。そして、これらの検索により得られた結果を、コンテンツ検索結果表示欄４４cに表示する（ステップＳ９０５）。コンテンツ検索結果表示欄４４cには検索結果を３件ずつ表示し、使用者によるスクロール等の操作に応じて、それらの表示を変更する。
【００４１】
一方、使用者により画像のアップロードが選択されると、コンテンツとして使用する画像が保存されている場所（ハードディスク内のフォルダ名など）を使用者に入力させる画面を表示し、使用者に画像の保存場所を指定させる（ステップＳ９０７）。そして、指定された場所を検索し、その場所に保存された画像ファイルの一覧をコンテンツ検索結果表示欄４４cに表示する（ステップＳ９０８）。
ここで、使用者により入力されたキーワードを用いてコンテンツを検索（使用者により指定されたフォルダ内の検索もこれに含まれる）し、コンテンツ検索結果を画面上に表示する機能が、本発明におけるコンテンツ検索部に相当する。
そして、コンテンツ検索結果の中から使用者によりコンテンツが指定される（ステップＳ９０６、Ｓ９０９）と、コンテンツ特定部１８dは当該コンテンツを特定する。
【００４２】
さらに、カテゴリー選択欄４４dにおいて、使用者により当該コンテンツのカテゴリーを選択する入力操作が行われると、選択されたカテゴリーを当該コンテンツのカテゴリーとして設定する（ステップＳ９１０）。ここで、コンテンツのカテゴリーを設定する機能が、本発明におけるカテゴリー設定部に相当する。
【００４３】
コンテンツ及び自系図編集領域４３内での位置の特定を完了すると、コンテンツ配置部１８fは、該コンテンツを該位置に配置する（ステップＳ９１１）。このとき、コンテンツ配置部１８cは、原画像を所定の大きさに加工（縮小あるいは拡大）し、サムネイル４５として自系図編集領域４３内に配置する。なお、本実施例では自系図編集領域４３内の位置を特定した後で、コンテンツを特定する順に説明したが、この順は逆でも構わない。
【００４４】
また、サムネイル４５の配置と並行して、コンテンツ配置情報保存部１８gが、キーワード、コンテンツ、コンテンツの位置、及びコンテンツのカテゴリーを紐づけ、これをコンテンツ配置情報として、コンテンツ配置情報記憶部２０に保存する（ステップＳ９１２）。これにより、自系図編集領域４３内にコンテンツを配置する一連のフローが終了する。自系図編集領域４３内にコンテンツを配置する一連のフローは、使用者による入力操作に応じて繰り返し行われる。図７に、複数のサムネイル４５を配置した場合の画面例を示す。
【００４５】
使用者によるクリック操作等によってメニューボタン４０aの保存が選択されると（ステップＳ９１３でＹＥＳ）、編集中の自系図データを自系図データ記憶部２２に保存する。具体的には、作成された１乃至複数のコンテンツ配置情報として取りまとめ、それらを使用者属性情報と紐付けた自系図データとして自系図データ記憶部２２に保存する（ステップＳ９１４）。
【００４６】
使用者により、自系図編集領域４３内のコンテンツをドラッグアンドドロップする操作が実行されると、それに応じてコンテンツ配置情報を変更し、自系図編集領域４３内での表示位置を変更する。また、使用者によるドラッグアンドドロップ操作によってコンテンツが自系図編集領域４３外にドロップされた場合には、当該コンテンツの表示を中止し、コンテンツ配置情報を削除する。マウスのクリックによりサムネイルが選択され、続いてメニューボタン４０aの消去ボタンが選択された場合にも同様に、コンテンツの表示を中止するとともに、コンテンツ配置情報を削除する。
【００４７】
カテゴリー表示領域４１の折り畳みボタン４１aや、コンテンツ設定領域４４の折り畳みボタン４４eが使用者により選択されると、該当領域を折り畳み表示する。また、折り畳み表示中の領域の折り畳みボタンが選択されると、該当する領域の折り畳み表示を中止する。
また、使用者により、自系図編集領域内４３内の拡大／縮小バー４３bの操作ボタンが操作されると、自系図編集領域４３の中心を基準として自系図編集領域４３を拡大表示（あるいは縮小表示）する。ただし、自系図編集領域４３内に配置されているサムネイル４５の大きさは変化させない。
自系図編集領域４３内に多くのサムネイル４５を配置すると、それらが重なり合って表示されるため、個々のサムネイル４５を視認することが難しくなる。こうした場合でも、折り畳みボタン４１a、４４eや、拡大／縮小バー４３bを適宜に操作することによって、利用者が自系図編集領域４３内に配置したコンテンツを容易に確認できるようになっている。カテゴリー表示領域４１とコンテンツ設定領域４４を折り畳み表示し、自系図編集領域４３を拡大表示した場合の画面例を図８に示す。なお、自系図編集領域４３内の表示位置は、スクロールバー４３c、４３dを操作することにより適宜に変更することができるようになっている。
【００４８】
また、上述したように、初期設定ではカテゴリー表示領域ではＡＬＬボタンが選択された状態になっているため、全てのカテゴリーに属するコンテンツを表示するが、使用者のクリック操作等によって特定のカテゴリー名が付されたボタンが選択されると、自系図編集領域４３内に配置されたコンテンツのうち、当該カテゴリーに属するもののみを表示するようになっている。使用者が「ゲーム」のカテゴリーボタンを選択した状態の画面例を図９に示す。
【実施例２】
【００４９】
１．ハードウェア構成
次に、本発明に係る自系図作成サーバの一実施例について説明する。
本実施例の自系図作成サーバ１１０は、インターネットを通じて、１乃至複数の端末装置２００と、検索エンジンとしてのサービスを提供するネットワークサーバ２５０に接続されている（図１０）。そして、使用者により操作される端末装置２００から入力される指示に従って自系図を作成し、該端末装置２００の表示部の表示画面上に自系図を表示させる。
【００５０】
図１１は、本実施例の自系図作成サーバ１１０のハードウェア構成図である。
自系図作成サーバ１１０は、中央演算処理装置（ＣＰＵ）１１１にメモリ１１２、ハードディスク等の大容量記憶装置から成る記憶部１１５、外部記憶メディア読取部であるＤＶＤ−ＲＯＭドライブ１１６、及び通信インターフェース（通信Ｉ／Ｆ）１１７等が互いに接続されている。
【００５１】
記憶部１１５にはＯＳ（Operating System）のほか、自系図作成サーバ用プログラム１１８が保存されており、該プログラム１１８を動作させることにより、ＣＰＵ１１１を、後述する領域設定部１１８a、位置特定部１１８b、コンテンツ検索部１１８c、コンテンツ特定部１１８d、カテゴリー設定部１１８e、コンテンツ配置部１１８f、コンテンツ配置情報作成部１１８h、コンテンツ配置情報保存部１１８g、及びキーワード使用情報保存部１１８jとして機能させる。
【００５２】
また、記憶部１１５内には、使用者属性情報記憶部１１９、コンテンツ配置情報記憶部１２０、コンテンツデータベース１２１、自系図データ記憶部１２２が設けられている。コンテンツデータベース１２１には、自系図作成サーバを用いて過去に作成された自系図で用いられたキーワードに関する、キーワード使用情報（キーワード、カテゴリー、及びキーワードの使用回数等を含む）、及び年表データが保存されている。キーワード使用情報及び年表データの構成については後述する。
【００５３】
図１２は、本実施例の自系図作成サーバ１１０にアクセスして自系図を作成するために用いられる端末装置２００のハードウェア構成図である。端末装置２００の実体は汎用コンピュータであり、中央演算処理装置（ＣＰＵ）２１１にメモリ２１２、液晶ディスプレイ等から成るモニタ（表示部）２１３、キーボードやマウス等から成る入力部２１４、ハードディスク等の大容量記憶装置から成る記憶部２１５、ＤＶＤ−ＲＯＭドライブ２１６、及び通信インターフェース（通信Ｉ／Ｆ）２１７等が互いに接続されている。端末装置２００は通信Ｉ／Ｆ２１７を介してインターネットに接続されており、同じくインターネットに接続されている本実施例の自系図作成サーバ１１０にアクセス可能となっている。
【００５４】
２．自系図の作成
以下、本実施例の自系図作成サーバ１１０により自系図を作成する手順について説明する。実施例１と共通する内容に関しては、適宜、上述した図面を参照して説明する。
【００５５】
（１）ユーザ登録、ログイン
端末装置２００において所定のブラウザが立ち上げられ、所定のＵＲＬ（http://zikeiz.jp）が指定されることによって、自系図作成サーバ１１０へのアクセス要求が行われると、自系図作成サーバ１１０は端末装置２００の表示部２１３にトップ画面を表示させ（図３参照）、（１）ＩＤ及びパスワード、あるいは（２）属性情報、のいずれかが端末装置２００から入力されるまで待機する。本実施例において説明する各画面は、上記所定のブラウザ上で表示される。なお、本実施例では、図３に示したトップ画面においてメールアドレス入力欄も表示される。
【００５６】
属性情報が入力された場合には、ユーザ登録の手続きを行う。ユーザ登録の流れは図４を参照して上述した手順と同様であるため、詳細な説明を省略する。ただし、実施例１において説明した入力項目に加えて、使用者のメールアドレスも入力させる。また、本実施例では、実施例１において説明した手順に加え、ユーザ登録の完了時に、当該ユーザの自系図作成ページとしてＩＤに対応した所定のＵＲＬを付与し、該ＵＲＬ情報を含めた使用者属性情報を使用者属性情報記憶部１１９に保存する。例えば、ＩＤがabcde123である場合には、http://zikeiz.jp/abcde123というＵＲＬを付与する。
【００５７】
ＩＤ及びパスワードが入力された場合には、実施例１における図２を参照して説明した手順と同様に、使用者属性情報記憶部１１９に保存された使用者属性情報と照合し（ステップＳ４）、入力されたＩＤ及びパスワードに合致する使用者属性情報が存在する場合にはログインを承認する（ステップＳ５でＹＥＳ）。使用者が入力したＩＤ及びパスワードが使用者属性情報と合致しない場合（ステップＳ５でＮＯ）には、ログインを拒否する画面を表示し、ＩＤ及びパスワードの再入力を使用者に促す。
【００５８】
ログインを承認すると、ＩＤ及びパスワードの照合に成功した使用者属性情報を読み出す。また、当該使用者に対応する自系図作成データが記憶部１１５の自系図データ記憶部１２２内に保存されている場合には該データを読み出し、当該使用者に付与されたＵＲＬに対応づけた自系図編集画面を端末装置２００の画面上に表示させる。当該使用者に対応する自系図作成データが存在しない場合には、初期設定の自系図編集画面を表示する。図１３に初期設定の自系図編集画面１４０を示す。
【００５９】
（２）自系図の作成
本実施例の自系図編集画面１４０は、実施例１において説明した自系図編集画面４０と同様に、カテゴリー表示領域１４１、年齢軸表示領域１４２、自系図編集領域１４３、及びコンテンツ設定領域１４４を含んで構成される。ただし、メニューボタン１４０a（消去、保存、送る、公開、設定）及び使用者属性表示１４０b（使用者名、年齢、性別、公開／非公開表示）の構成が実施例１の自系図編集画面４０と異なる。また、自系図編集領域１４３の下部に、２次元の自系図編集領域において時間軸と異なる方向の軸として、キーワード人気度が設定されている点においても異なる。
【００６０】
図１３の使用者属性表示１４０bに示すように、本実施例の自系図作成サーバで作成した自系図は、端末装置２００から公開の設定が行われるまで非公開（即ち、ＩＤ及びパスワードを用いてログインした端末装置２００からのみ閲覧が可能な状態）となっている。作成された自系図を公開する設定は後述する。
【００６１】
カテゴリー表示領域１４１におけるカテゴリーボタンの配列、年齢軸表示領域１４２内の軸表示、コンテンツ設定領域１４４内の各表示については、実施例１と同様であるため、説明を省略する。自系図編集領域１４３は、実施例１の自系図編集領域４３と異なり、年齢軸を１軸、キーワード人気度を他方の軸とする２次元の領域となっている。ここで、使用者属性情報を読み取って、年齢軸を設定し、自系図編集領域１４３を表示する機能が、本発明における領域設定部に相当する。
【００６２】
以下、自系図編集領域１４３内にコンテンツを配置する手順について、実施例１において説明した図６を参照しつつ説明する。
【００６３】
端末装置２００から、自系図編集領域１４３内でコンテンツを配置する位置を指定する入力が行われると、その位置にピン１４３a（図１３では「＋」で表示）を置く。これにより、後述する手順で特定するコンテンツを配置する自系図編集領域１４３内の位置を特定する（ステップＳ９０１）。ここで、端末装置２００からの入力操作を受け付けて自系図編集領域１４３内の位置を特定する機能が、本発明における位置特定部に相当する。
【００６４】
また、端末装置２００から、キーワード入力欄１４４aにキーワードが入力され、コンテンツ設定方法選択欄４４bでコンテンツの登録方法が選択されるまで待機する。本実施例においても、コンテンツの登録方法として、コンテンツ画像の検索と画像のアップロードの２種類の方法が用意されている。
【００６５】
端末装置２００からコンテンツ画像の検索が選択されると、入力されたキーワードを用いてコンテンツの検索を行う。ＣＰＵ１１１は、インターネットを介して接続されたネットワークサーバ２５０に対してキーワード検索を要求する（ステップＳ９０４）。そして、検索により得られた結果を、コンテンツ検索結果表示欄１４４cに表示する（ステップＳ９０５）。本実施例では、ネットワークサーバ２５０に対してのみキーワード検索を要求するが、端末装置２００に対しても、該端末装置２００が有する記憶部２１５等を検索させるようにしてもよい。
ここで、使用者により入力されたキーワードを用いてコンテンツを検索し、コンテンツ検索結果を画面上に表示する機能が、本発明におけるコンテンツ検索部に相当する。
【００６６】
そして、コンテンツ検索結果の中から使用者によりコンテンツが指定される（ステップＳ９０６、Ｓ９０９）と、そのコンテンツがコンテンツ特定部１１８dによって特定される。
さらに、端末装置２００から、カテゴリー選択欄１４４dに対して行われた選択に従って、該カテゴリーを当該コンテンツのカテゴリーとして設定する（ステップＳ９１０）。コンテンツのカテゴリーを設定する機能が、本発明におけるカテゴリー設定部に相当する。
本実施例においても、自系図編集領域１４３内の位置を特定した後でコンテンツを特定する順に説明したが、この順は逆でも構わない。
【００６７】
コンテンツの特定、及び自系図編集領域１４３内の位置の特定を完了すると、キーワード使用情報保存部１１８jは、キーワード、及びカテゴリーを紐づけたキーワード使用情報をコンテンツデータベース１２１に保存する。キーワード使用情報は、図１４に示すようなテーブル形式のデータであり、ＩＤ、キーワード名、カテゴリー、使用回数、使用回数のカテゴリー内順位、男女のユーザによる使用回数の比、及び当該キーワードを最も多くの回数使用した年代に関する情報を含んで構成される。
【００６８】
キーワード使用情報保存部１１８jは、当該キーワードとカテゴリーの組み合わせを有するデータがコンテンツデータベース１２１内のキーワード使用情報に含まれているか否かを確認し、含まれていない場合には、当該キーワード及びカテゴリーに使用回数（１回）を付したデータをキーワード使用情報に追加する。一方、コンテンツデータベース１２１内に、既に当該キーワードとカテゴリーの組み合わせを有するデータが含まれている場合には、その使用回数を＋１回加算してデータを更新する。また、データの更新時に、カテゴリー内順位、男女比、年代に関する情報も更新する。
【００６９】
コンテンツ配置部１１８fは、端末装置２００から指定された自系図編集領域１４３内の位置に基づいて時間軸方向の座標を確定し、キーワード使用回数を参照してキーワード人気度の軸方向の位置を確定する。キーワード人気度の軸方向の位置は、例えば次のようにして決定される。図１４に示すように、例えば、コンテンツデータベース内に保存されているキーワード使用情報の中で使用回数が最大であるものが１０００回であり、現在、配置しようとしているコンテンツのキーワードの使用回数が３９１回である場合には、キーワード人気度の軸方向の座標を最大値の３９．１％（３９１回／１０００回）の値とする。こうして、自系図編集領域４３内の位置（２次元領域内での座標）を特定し、コンテンツを配置する（ステップＳ９１１）。
【００７０】
コンテンツ配置部１１８fは、原画像を所定の大きさに加工（縮小あるいは拡大）し、サムネイル１４５として自系図編集領域１４３内に配置する。
また、サムネイル１４５の配置と並行して、コンテンツ配置情報作成部１１８hが、キーワード、コンテンツ、コンテンツの位置、及びコンテンツのカテゴリーを紐づけたコンテンツ配置情報を作成する。また、コンテンツ配置情報保存部１１８gが、これをコンテンツ配置情報記憶部１２０に保存する（ステップＳ９１２）。これにより、自系図編集領域１４３内にコンテンツを配置する一連のフローが終了する。この一連のフローは、端末装置２００からの入力に応じて繰り返し行われる。
【００７１】
自系図編集領域１４３内に配置されたコンテンツの移動や削除に関する操作、拡大／縮小バー１４３bの操作、カテゴリーボタンの操作による自系図編集領域１４３の表示の変更については実施例１で説明したものと同様であるため、説明を省略する。
【００７２】
本実施例の自系図作成サーバ１１０で作成される自系図では、端末装置２００から折り畳みボタン１４４eが選択されると、コンテンツ設定領域１４４を折り畳み表示すると同時に、表示形式の変更と簡易年表の表示／非表示の切り替えを行うための操作ボタン１４５を表示する。この操作ボタン１４５により、自系図編集領域１４３内のコンテンツの表示を「サムネイル」と「キーワード」から選択したり、簡易年表の表示／非表示を切り替えたりすることができるようになっている。
【００７３】
端末装置２００からの入力により、操作ボタン１４５から簡易年表の表示が選択されると、コンテンツデータベース１２１に予め保存されている年表データを読み出す。年表データは図１５に示すように、ＩＤ、トピックス名、表示年に関する情報を含むテーブル形式のデータであり、簡易年表の表示が選択されると、自系図編集領域１４３の年齢軸の表示と整合させた西暦表示の時間軸、及びトピックスを自系図編集領域１４３に重畳表示する（図１６参照）。トピックスの表示位置は、年表データの表示年に関する情報に基づいて決定する。
【００７４】
また、端末装置２００から、自系図編集領域１４３内のコンテンツ１４５を選択する入力がなされると、上述したキーワード使用情報を参照して当該コンテンツの詳細情報（キーワード、カテゴリー、カテゴリー内順位、登録している人数、人気の年代、男女比等）をポップアップ表示する。ポップアップ表示内には「削除する」及び「登録内容の変更」ボタンも表示し、これらに対する入力操作を受けて、コンテンツの削除や登録内容の変更に関する端末装置２００からの入力を受け付ける。登録内容の変更とは、例えば、当該コンテンツに対するカテゴリーの変更や自系図編集領域１４３内での配置の変更などである。コンテンツの削除や登録内容の変更が行われると、コンテンツ配置情報記憶部１２０内のコンテンツ配置情報や、コンテンツデータベース１２１内のコンテンツ使用情報を更新する。
【００７５】
端末装置２００から編集中の自系図保存が指示される（ステップＳ９１３でＹＥＳ）と、それまでに作成・保存したコンテンツ配置情報を１つの自系図データとして取りまとめ、使用者属性情報と紐付けて、記憶部１１５内の自系図データ記憶部１２２に保存する（ステップＳ９１４）。
【００７６】
３．自系図の公開
次に、本実施例の自系図作成サーバ１１０で作成した自系図を公開する手順を説明する。端末装置２００から公開設定を要求する入力が行われる（編集上部のメニューボタン１４０a内の「公開」ボタンが選択される）と、ポップアップ表示で自系図の公開設定画面１４０cを表示する。ここで、「公開」が選択されると、自系図データを所定のＵＲＬ（例えば、http://zikeiz.jp/abcde123/open）にアップロードする。これにより、ブラウザ上で該ＵＲＬを入力してアクセス要求を行った端末装置に対して自系図が公開される。
【００７７】
なお、端末装置２００からメニューボタンの「消去」、「送る」、「設定」が選択された場合には、それぞれ以下のように動作する。
消去：選択中のコンテンツ（サムネイル）の消去、あるいは、作成中の自系図に配置されている全てのコンテンツ（サムネイル）の消去のいずれかを選択させるポップアップ画面を表示し、選択された動作を実行。
送る：URL又はメールアドレスを入力する画面をポップアップ表示し、作成中の自系図データを保存するとともに該自系図データを入力されたURLに送信（アップロード）する。このボタンは、例えば、SNSを提供しているサーバ上に自系図作成データをアップロードする場合や、他の使用者に自系図を送信する場合などに用いられる。
設定：ユーザ登録時に入力され、使用者属性情報記憶部１１９に保存されている個人情報（ニックネーム、メールアドレス等）を表示して、それら情報を変更する入力を受け付ける。情報が変更されると、使用者属性情報記憶部１１９内の情報を更新する。
【００７８】
上記実施例１及び２は一例であって、本発明の趣旨に沿って適宜に変更することができる。上記実施例１及び２では、コンテンツとして画像データを検索し、そのサムネイルを作成して自系図編集領域内に配置する構成としたが、他の形式のコンテンツを配置することができる。例えば、使用者により入力されたキーワードや、使用者により入力されたキーワードを用いて検索された文章などのテキスト情報を所定の大きさの領域内に配置して画像化したものとすることができる。また、動画データや音楽データなどを検索し、それらに対するサムネイルを作成して配置することもできる。
また、実施例２の自系図作成サーバでは、該サーバの記憶部に設けられた自系図データ保存部内に、作成された自系図データを保存する構成としたが、例えば、コンテンツ配置情報や自系図データを端末装置２００に送信するコンテンツ配信情報送信部を備え、端末装置２００側でそれらの情報を保存可能できるように構成してもよい。
【実施例３】
【００７９】
以下、本発明に係る自系図作成装置や自系図作成サーバにより作成される自系図データのデータ形式の一実施例を説明する。
【００８０】
本実施例の自系図データは、実施例２に記載した自系図作成サーバで作成される自系図のデータであり、領域設定部１１８aにより設定された自系図編集領域の軸設定情報、及びコンテンツ配置情報保存部１１８gにより保存されたコンテンツ配置情報を主として構成されており、適宜、キーワード使用情報等の関連情報と紐付けられている。実施例２の自系図作成サーバにより作成・保存される自系図データに含まれるコンテンツ配置情報の一例を図１７に示す。
【００８１】
コンテンツ配置情報は、コンテンツID、キーワードID、配置座標、検索IDを含んで構成される。コンテンツIDは、使用者が自系図編集領域１４３内にコンテンツを配置した順に付されるIDである。キーワードIDは、図１４を参照して説明したキーワード使用情報に含まれるIDであり、該IDにより、キーワード、カテゴリー等の関連情報を参照するようになっている。配置座標は、自系図編集領域１４３内の位置情報であり、X座標（キーワード人気度軸）、Y座標（時間軸）で示される。本実施例では、キーワード人気度軸方向の値は、キーワード使用情報に含まれ時々刻々と変化するキーワード使用回数によって変化する動的な値であるため、自系図データを開く度にキーワード使用回数を参照して当該軸方向の値を決定するようになっている。
【００８２】
検索IDは、コンテンツ検索部１１８cが検索時に検索エンジンから取得したIDである。このIDは検索結果を特定するものであり、該IDを検索エンジンのAPI（Application Program Interface）に与えることで、過去に行った検索結果が復元され、当該検索によって取得された画像ファイル等が特定される。
【００８３】
自系図データに含まれる画像ファイル等のコンテンツは、当該ファイルそのものをサーバ上に保存するようにしてもよいが、その場合には、自系図データの容量が大きくなり、サーバにかかる負荷が大きくなる。これに対し、本実施例の自系図データでは、画像ファイル等のコンテンツそのものをサーバ上に保存するのではなく、検索IDにより画像ファイル等のコンテンツを特定する構成を採っている。これにより、サーバ内の自系図データ記憶部１２２に保存されるデータの容量を抑えてサーバに係る負荷を軽減している。
【符号の説明】
【００８４】
１０…自系図作成装置
１１０…自系図作成サーバ
１１、１１１、２１１…ＣＰＵ
１２、１１２、２１２…メモリ
１３…表示部
１４…入力部
１５、１１５、２１５…記憶部
１６、１１６、２１６…ＤＶＤ−ＲＯＭドライブ（外部記録メディア読取部）
１７、１１７、２１７…通信Ｉ／Ｆ
１８…自系図作成装置用プログラム
１１８…自系図作成サーバ用プログラム
１８a、１１８a…領域設定部
１８b、１１８b…位置特定部
１８c、１１８c…コンテンツ検索部
１８d、１１８d…コンテンツ特定部
１８e、１１８e…カテゴリー設定部
１８f、１１８f…コンテンツ配置部
１８g、１１８g…コンテンツ配置情報保存部
１１８h…コンテンツ配置情報作成部
１１８j…キーワード使用情報保存部
１９、１１９…使用者属性情報記憶部
２０、１２０…コンテンツ配置情報記憶部
１２１…コンテンツデータベース
２２、１２２…自系図データ記憶部
２００…端末装置
２５０…ネットワークサーバ
【図１】
2015035189.tif 000003
【図２】
2015035189.tif 000004
【図３】
2015035189.tif 000005
【図４】
2015035189.tif 000006
【図５】
2015035189.tif 000007
【図６】
2015035189.tif 000008
【図７】
2015035189.tif 000009
【図８】
2015035189.tif 000010
【図９】
2015035189.tif 000011
【図１０】
2015035189.tif 000012
【図１１】
2015035189.tif 000013
【図１２】
2015035189.tif 000014
【図１３】
2015035189.tif 000015
【図１４】
2015035189.tif 000016
【図１５】
2015035189.tif 000017
【図１６】
2015035189.tif 000018
【図１７】
2015035189.tif 000019